(57)【要約】【課題】  枠と障子との間の隙間が大きい場合でも、火災時にその隙間を確実に塞ぐことのできる建具の提供。【解決手段】  枠１と、枠１に開閉自在に設けた障子２とを備え、枠１の内周側見込み面７ａ又は障子２の外周側見込み面１０ａに、火災の熱で発泡する耐火材３を設けてあると共に、耐火材３の見込み方向に隣接する位置に、内周側又は外周側に向けて突出する突壁４を有する。【選択図】      図１
2020037867.tif 000002
【特許請求の範囲】
【請求項１】
枠と、枠に開閉自在に設けた障子とを備え、枠の内周側見込み面又は障子の外周側見込み面に、火災の熱で発泡する耐火材を設けてあると共に、耐火材の見込み方向に隣接する位置に、内周側又は外周側に向けて突出する突壁を有することを特徴とする建具。
【発明の詳細な説明】
【技術分野】
【０００１】
本発明は、防火性に優れた建具に関する。
【背景技術】
【０００２】
内倒し窓のように、障子が室内側又は室外側に開く窓では、枠と障子の間にアーム等が介在するため、枠と障子の間の隙間が大きくなっている。そのため、火災時にはその隙間を火炎や煙等が貫通し、延焼に繋がるおそれがある。
特許文献１には、戸の外周に熱に反応して発泡する発泡材を設けておき、火災時にその発泡材が発泡して枠と戸の間を塞ぐことで、火炎や煙等が侵入するのを防ぐことが開示されている。しかし、前述の内倒し窓等のように、枠と障子の隙間が大きい場合には、発泡材が発泡する途中で室外側や室内側に曲がったり、脱落したりするため、枠と障子の間の隙間をきっちりと塞ぐことが困難であった。
【先行技術文献】
【特許文献】
【０００３】
【特許文献１】特開平８−３０３１３３号公報
【発明の概要】
【発明が解決しようとする課題】
【０００４】
本発明は以上に述べた実情に鑑み、枠と障子との間の隙間が大きい場合でも、火災時にその隙間を確実に塞ぐことのできる建具の提供を目的とする。
【課題を解決するための手段】
【０００５】
上記の課題を達成するために請求項１記載の発明による建具は、枠と、枠に開閉自在に設けた障子とを備え、枠の内周側見込み面又は障子の外周側見込み面に、火災の熱で発泡する耐火材を設けてあると共に、耐火材の見込み方向に隣接する位置に、内周側又は外周側に向けて突出する突壁を有することを特徴とする。
【発明の効果】
【０００６】
請求項１記載の発明による建具は、枠の内周側見込み面又は障子の外周側見込み面に、火災の熱で発泡する耐火材を設けてあると共に、耐火材の見込み方向に隣接する位置に、内周側又は外周側に向けて突出する突壁を有することで、火災時に耐火材の発泡する方向が突壁により規制されるため、枠と障子との間の隙間が大きい場合でも、その隙間を発泡した耐火材で確実に塞ぐことができる。また、突壁を有することで、耐火材を密に発泡させることができ、発泡した耐火材による耐火層を維持できる。
【図面の簡単な説明】
【０００７】
【図１】本発明の一実施形態に係る建具の横断面図である。
【図２】同建具の縦断面図である。
【図３】同建具の室内側正面図である。
【図４】同建具の障子を開けた状態の縦断面図である。
【図５】火災時における竪枠と竪框間の隙間部の状態を示す横断面図である。
【発明を実施するための形態】
【０００８】
以下、本発明の実施の形態を図面に基づいて説明する。図１〜４は、本発明に係る建具の一実施形態を示している。この建具は、内倒しサッシであり、躯体開口部に取付けられる枠１と、枠１に内倒し式に開閉自在に取付けた障子２とを備えている。
枠１は、アルミニウム合金の押出形材よりなる上枠５、下枠６及び左右の竪枠７，７を枠組みして構成されている。
障子２は、アルミニウム合金の押出形材よりなる上框８、下框９及び左右の竪框１０，１０を框組みし、その内側に複層ガラス１１を取付けて構成されている。複層ガラス１１の室外側のガラス１１ａは、網入りの強化ガラスになっている。障子２は、図２に示すように、下框９の室内側下部に設けたヒンジ部１２が下枠６に取付けたヒンジ金具１３に回動自在に連結されている。また障子２の上框８の室内側面にはラッチ１４が取付けてあり、ラッチ１４が上枠５に取付けたラッチ受け１５と係合することで、閉鎖した障子２がロックされる。
【０００９】
図１，４に示すように、竪枠７の内周側見込み面７ａと竪框１０の外周側見込み面１０ａ間には、アーム１６が取付けてあり、該アーム１６により障子２の開く範囲を規制している。このアーム１６を取付けるために、竪枠７の内周側見込み面７ａと竪框１０の外周側見込み面１０ａ間には２７ｍｍの幅の隙間１７が設けられている。
竪枠７の内周側見込み面７ａの室外側端部には、図１に示すように、タイト材ホルダー１８が内周側に突出して設けられ、タイト材ホルダー１８に取付けたタイト材１９が、竪框１０の外周側見込み面１０ａに当接している。また、竪枠７の内周側見込み面７ａの室内外方向中間部やや室内側寄りの位置にもタイト材ホルダー２０が内周側に突出して設けられ、このタイト材ホルダー２０に取付けたタイト材２１が、竪框１０の室内側端部に外周側に張り出して設けたフィン２２の室外側面に当接している。室内外方向中間部のタイト材ホルダー２０の根元部には、後述する耐火材ホルダー２３が係止する溝２４が室外側に向けて形成してある。
【００１０】
竪枠７の内周側見込み面７ａには、図１，２，４に示すように、火災時に竪枠７と竪框１０間の隙間を塞ぐ耐火材３を固定設置するための耐火材ホルダー２３が、室内寄りのタイト材ホルダー２０の室外側に沿うようにして取付けてある。耐火材ホルダー２３は、アルミニウム合金の押出形材よりなる長尺材であり、図１に示すように、内周側が開口したリップ溝形の耐火材保持部２５と、耐火材保持部２５の室外側の壁より連続して内周側に向けて突出する突壁４とが一体に形成されている。突壁４は、竪枠７の内周側見込み面７ａと竪框１０の外周側見込み面１０ａ間の２７ｍｍの隙間１７の半分程度まで突出しており、アーム１６と干渉しないように設けてある。耐火材ホルダー２３は、図２，４に示すように、アーム１６と干渉する部分に切り欠き２６が設けてある。
耐火材保持部２５には、火災の熱に反応して発泡・膨張する耐火材３が保持してある。この耐火材は、プラスチック技術を活用した有機系耐火材であり、通常の状態では薄いシート状で、２００℃以上に加熱されると厚さ方向に５〜４０倍に膨張し、断熱層を形成する。火災時に消失することがなく、有害ガスが発生することもない。かかる耐火材３としては、例えば積水化学工業株式会社製の商品名「フィブロック」を用いることができる。耐火材３は、耐火材保持部２５に挿入した後、耐火材保持部２５の内周側のリップ部２５ａをかしめることで、耐火材保持部２５から抜け落ちたりしないように保持される。そうして耐火材３を装着した耐火材ホルダー２３は、図１に示すように、竪枠７の内周側見込み面７ａにネジ２７で固定されている。
【００１１】
上枠５は、図２に示すように、内周側見込み面５ａの室外側端部に垂下片２８を有し、その室内側に沿うようにして上枠５の内周側面５ａに、火災の熱に反応して発泡・膨張する耐火材２９が取付けてある。この耐火材２９は、リップ溝形の耐火材ホルダー３０に保持されており、耐火材ホルダー３０は上枠５にネジ３１で固定してある。また、上枠５の内周側見込み面５ａには、ステンレス製の補強板３５が耐火材ホルダー３０とネジ３１で共締めして取付けてある。
上框８の外周側見込み面８ａには、ステンレス製の補強板３２がネジ３３で取付けてあり、その室内側の端部に火災の熱に反応して発泡・膨張する耐火材３４が取付けてある。この耐火材３４は、上枠５に設けられたタイト材ホルダー３６に対向して配置されている。さらに、その上枠５のタイト材ホルダー３６の室内側面にも火災の熱に反応して発泡・膨張する耐火材３７が取付けてあり、この耐火材３７はラッチ１４とラッチ受け１５との係合部に対向して配置されている。上框８の中空部内には、ステンレス製の補強材３８が設けてある。
【００１２】
下枠６は、図２に示すように、Ｌ字形に立ち上がるタイト材ホルダー３９を有し、その室外側面に火災の熱に反応して発泡・膨張する耐火材４０を保持した耐火材ホルダー４１がネジ４２で取付けてある。この耐火材４０は、下框９の室外側に外周側に張り出して形成されたフィン４３と対向して配置されている。前記タイト材ホルダー３９の内周側面にも、火災の熱に反応して発泡・膨張する耐火材４４が設けてある。さらに、下枠６の中空部内にも、火災の熱に反応して発泡・膨張する耐火材４５が設けてある。
【００１３】
障子２の框８，９，１０は、図２に示すように、内周側が開口したパネル保持溝４６を有し、パネル保持溝４６内の室外側の壁に、火災の熱に反応して発泡・膨張する耐火材４７が取付けてある。下框９のパネル保持溝４６内には、セッティングブロック４８が配置されており、このセッティングブロック４８は火災の熱で溶けにくい金属製のものとなっている。
【００１４】
図５は、火災時における竪枠７と竪框１０の隙間部の状態を示している。同図に示すように、火災が発生すると竪枠７の内周側見込み面７ａに設けた耐火材３が内周側に向けて発泡・膨張し、竪枠７の内周側見込み面７ａと竪框１０の外周側見込み面１０ａ間の隙間１７が発泡した耐火材３により塞がれる。これにより、竪枠７と竪框１０の隙間１７から火炎や煙等が貫通するのを阻止できる。耐火材３の室外側に隣接して突壁４が設けてあることで、突壁４が耐火材３の発泡する方向を規制するガイドとなり、広い隙間１７であってもその隙間１７を発泡した耐火材３で確実に塞ぐことができる。また、突壁４を有することで、耐火材３を密に発泡させることができ、発泡した耐火材３による耐火層を維持できる。また、突壁４自体が炎や煙等を遮る効果もある。突壁４は、図４に示すように、アーム１６を竪枠７に取付けているアーム取付具５２と干渉する部分が切欠かれているが、アーム取付具５２は障子２側（内周側）に向けて突出するハット型断面になっており、このアーム取付金具５２が発泡した耐火材３の脱落を防ぐので、突壁４が切欠かれた範囲も竪枠７と竪框１０の間の隙間１７が発泡した耐火材３により確実に塞がれる。
耐火材３を両面テープや接着剤等で竪枠７の内周側見込み面７ａに直接取付けた場合には、長時間風雨にさらされるうちに剥がれ落ちたりするおそれがあるが、本実施形態では耐火材３を耐火材ホルダー２３に保持した上で竪枠７にネジ２７で固定したので、耐火材３が剥がれ落ちるおそれがない。
【００１５】
また火災時には、上枠５の内周側見込み面５ａに取付けた耐火材２９が内周側に向けて、上框８の外周側見込み面８ａに取付けた耐火材３４が外周側に向けてそれぞれ発泡・膨張して、上枠５の内周側見込み面５ａと上框８の外周側見込み面８ａ間の隙間が塞がれる。両耐火材２９，３４は、上枠５の垂下片２８と上框８の立上げ片４９の見込み方向に隣接して配置されているため、先に述べた突壁４と同様に耐火材２９，３４の発泡する方向を規制し、耐火材２９，３４が曲がったり脱落したりするのを防ぐことができる。また、上枠５のタイト材ホルダー３６の室内側面に取付けた耐火材３７が室内側に向けて発泡し、障子２の周囲と上枠５間の隙間を塞ぐ。室外側で火災が起きたときには、障子２は室外側に膨らむように変形し、それに伴って上框８の立上げ片４９が上枠５のタイト材５０から離れようとする。本建具は上記のように耐火材２９，３４，３７が設けてあることで、室外側から室内側への火の侵入がまず耐火材２９により防がれ、耐火材２９を突破され且つタイト材５０が上框８から離れたとしても、耐火材３４により火の侵入を防ぐことができる。耐火材３４は、タイト材５０を保護する働きもある。さらに、耐火材３４が突破され且つ上框８が室内側に変位したとしても、室内側に向けて発泡する耐火材３７により火の侵入が防がれる。以上の作用により、上枠５と上框８の間を火が貫通するのを確実に防ぐことができる。
さらに、下枠６のタイト材ホルダー３９の室外側面に取付けた耐火材４０が室外側に向けて発泡し、発泡した耐火材４０が下框９にパネル保持溝４６内の水を抜くために下框９の長手方向両端部に形成された水抜き孔を塞ぎ、水抜き孔から火炎や煙等が入るのを阻止する。下框９はヒンジ部１２で下枠６と連結されているが、ヒンジ部１２は長手方向の両端部が竪框１０と干渉しないように切欠かれており、また下枠のタイト材５１は長手方向の両端部が竪枠７と干渉しないように切欠かれているので、そのままでは下枠６の両端部における下框９との隙間から火が貫通するおそれがある。本建具では、下枠６のタイト材ホルダー３９の内周側面に取付けた耐火材４４が内周側に向けて発泡し、発泡した耐火材４４が下枠６と下框９間の隙間を塞ぐことで、下枠６の両端部における下框９との隙間から火が貫通するのを防ぐことができる。耐火材４４は、タイト材５１を保護する働きもある。耐火材４０，４４は、下枠６の長手方向の全長に設けてもよいが、下枠６の長手方向の両端部だけに設けてあってもよい。
さらに、下枠６の中空部内に設けた耐火材４５が発泡して下枠６の排水孔を塞ぎ、排水孔から火炎や煙等が入るのを阻止する。また、框８，９，１０のパネル保持溝４６内に設けた耐火材４７が発泡してパネル保持溝４６内の隙間を塞ぐことで、框８，９，１０と複層ガラス１１との間から火炎や煙等が貫通するのを阻止できる。
【００１６】
以上に述べたように本建具は、火災時に枠１と障子２の隙間、障子２の框８，９，１０と複層ガラス１１との隙間、排水孔等が発泡した耐火材３，２９，３４，３７，４０，４４，４５，４７により塞がれるため、火炎や煙等が室内外を貫通するのを阻止し、延焼を防止することができる。特に、耐火材３の見込み方向に隣接する位置に内周側に向けて突出する突壁４を設けたことで、耐火材３の発泡する方向を突壁４が規制するため、アーム１６が介在する竪枠７と竪框１０間の広い隙間１７であっても、発泡した耐火材３でその隙間１７をきっちり塞ぐことができる。
【００１７】
本発明は以上に述べた実施形態に限定されない。耐火材に隣接して設けられる突壁は、耐火材ホルダーと別体で形成することもできる。耐火材は、障子の外周側見込み面に設けることもでき、その場合には突壁は外周側に向けて突出して設ける。また耐火材は、枠の内周側見込み面又は障子の外周側見込み面に両面テープ等で直接取付けることもできる。突壁は、耐火材の室内側に隣接して設けることもできる。障子の開き方は任意であり、例えば開き窓、すべり出し窓等、あらゆる窓種に適用することができる。
【符号の説明】
【００１８】
１  枠
２  障子
３  耐火材
４  突壁
７ａ  竪枠の内周側見込み面（枠の内周側見込み面）
１０ａ  竪框の外周側見込み面（障子の外周側見込み面）
【図１】
2020037867.tif 000003
【図２】
2020037867.tif 000004
【図３】
2020037867.tif 000005
【図４】
2020037867.tif 000006
【図５】
2020037867.tif 000007
【手続補正書】
【提出日】令和1年12月18日(2019.12.18)
【手続補正１】
【補正対象書類名】特許請求の範囲
【補正対象項目名】全文
【補正方法】変更
【補正の内容】
【特許請求の範囲】
【請求項１】
枠と、障子とを備え、枠または障子の一方の見込面に耐火材ホルダーを設け、耐火材ホルダーに保持して火災の熱で発泡する耐火材を設けてあると共に、耐火材ホルダーの見込み方向に隣接する位置に、枠または障子の他方の見込面に向けて突出して耐火材の発泡する方向を規制するガイドとなる突壁を有することを特徴とする建具。
【請求項２】
枠と、障子とを備え、枠または障子の一方の見込面に耐火材ホルダーを設け、耐火材ホルダーに保持して火災の熱で発泡する耐火材を設けてあると共に、耐火材の見込み方向に隣接する位置に、枠または障子の他方の見込面に向けて突出して耐火材の発泡する方向を規制するガイドとなる突壁を有し、突壁は、耐火材ホルダーと一体成形されていることを特徴とする建具。
【請求項３】
枠と、障子とを備え、枠または障子の一方の見込面に、火災の熱で発泡する耐火材を設けてあると共に、耐火材の見込方向の両側に隣接する位置に、枠または障子の他方の見込面に向けて突出して耐火材の発泡する方向を規制するガイドとなる突壁を有することを特徴とする建具。
【請求項４】
枠と、障子とを備え、枠または障子の一方の見込面に、火災の熱で発泡する耐火材を設けてあると共に、耐火材の見込み方向に隣接する位置に、枠または障子の他方の見込面に向けて突出して耐火材の発泡する方向を規制するガイドとなる突壁を有し、突壁は、タイト材ホルダーを兼ねていることを特徴とする建具。
【手続補正２】
【補正対象書類名】明細書
【補正対象項目名】全文
【補正方法】変更
【補正の内容】
【発明の詳細な説明】
【技術分野】
【０００１】
本発明は、防火性に優れた建具に関する。
【背景技術】
【０００２】
内倒し窓のように、障子が室内側又は室外側に開く窓では、枠と障子の間にアーム等が介在するため、枠と障子の間の隙間が大きくなっている。そのため、火災時にはその隙間を火炎や煙等が貫通し、延焼に繋がるおそれがある。
特許文献１には、戸の外周に熱に反応して発泡する発泡材を設けておき、火災時にその発泡材が発泡して枠と戸の間を塞ぐことで、火炎や煙等が侵入するのを防ぐことが開示されている。しかし、前述の内倒し窓等のように、枠と障子の隙間が大きい場合には、発泡材が発泡する途中で室外側や室内側に曲がったり、脱落したりするため、枠と障子の間の隙間をきっちりと塞ぐことが困難であった。
【先行技術文献】
【特許文献】
【０００３】
【特許文献１】特開平８−３０３１３３号公報
【発明の概要】
【発明が解決しようとする課題】
【０００４】
本発明は以上に述べた実情に鑑み、枠と障子との間の隙間が大きい場合でも、火災時にその隙間を確実に塞ぐことのできる建具の提供を目的とする。
【課題を解決するための手段】
【０００５】
上記の課題を達成するために請求項１記載の発明による建具は、枠と、障子とを備え、枠または障子の一方の見込面に耐火材ホルダーを設け、耐火材ホルダーに保持して火災の熱で発泡する耐火材を設けてあると共に、耐火材ホルダーの見込み方向に隣接する位置に、枠または障子の他方の見込面に向けて突出して耐火材の発泡する方向を規制するガイドとなる突壁を有することを特徴とする。
【０００６】
請求項２記載の発明による建具は、枠と、障子とを備え、枠または障子の一方の見込面に耐火材ホルダーを設け、耐火材ホルダーに保持して火災の熱で発泡する耐火材を設けてあると共に、耐火材の見込み方向に隣接する位置に、枠または障子の他方の見込面に向けて突出して耐火材の発泡する方向を規制するガイドとなる突壁を有し、突壁は、耐火材ホルダーと一体成形されていることを特徴とする。
【０００７】
請求項３記載の発明による建具は、枠と、障子とを備え、枠または障子の一方の見込面に、火災の熱で発泡する耐火材を設けてあると共に、耐火材の見込方向の両側に隣接する位置に、枠または障子の他方の見込面に向けて突出して耐火材の発泡する方向を規制するガイドとなる突壁を有することを特徴とする。
【０００８】
請求項４記載の発明による建具は、枠と、障子とを備え、枠または障子の一方の見込面に、火災の熱で発泡する耐火材を設けてあると共に、耐火材の見込み方向に隣接する位置に、枠または障子の他方の見込面に向けて突出して耐火材の発泡する方向を規制するガイドとなる突壁を有し、突壁は、タイト材ホルダーを兼ねていることを特徴とする。
【発明の効果】
【０００９】
請求項１記載の発明による建具は、枠または障子の一方の見込面に耐火材ホルダーを設け、耐火材ホルダーに保持して火災の熱で発泡する耐火材を設けてあると共に、耐火材ホルダーの見込み方向に隣接する位置に、枠または障子の他方の見込面に向けて突出して耐火材の発泡する方向を規制するガイドとなる突壁を有するため、枠と障子との間の隙間が大きい場合でも、火災時にその隙間を発泡した耐火材で確実に塞ぐことができる。また、突壁を有することで、耐火材を密に発泡させることができ、発泡した耐火材による耐火層を維持できる。
【００１０】
請求項２記載の発明による建具は、枠または障子の一方の見込面に耐火材ホルダーを設け、耐火材ホルダーに保持して火災の熱で発泡する耐火材を設けてあると共に、耐火材の見込み方向に隣接する位置に、枠または障子の他方の見込面に向けて突出して耐火材の発泡する方向を規制するガイドとなる突壁を有するため、枠と障子との間の隙間が大きい場合でも、火災時にその隙間を発泡した耐火材で確実に塞ぐことができる。また、突壁を有することで、耐火材を密に発泡させることができ、発泡した耐火材による耐火層を維持できる。
【００１１】
請求項３記載の発明による建具は、枠または障子の一方の見込面に、火災の熱で発泡する耐火材を設けてあると共に、耐火材の見込方向の両側に隣接する位置に、枠または障子の他方の見込面に向けて突出して耐火材の発泡する方向を規制するガイドとなる突壁を有するため、枠と障子との間の隙間が大きい場合でも、火災時にその隙間を発泡した耐火材で確実に塞ぐことができる。また、突壁を有することで、耐火材を密に発泡させることができ、発泡した耐火材による耐火層を維持できる。
【００１２】
請求項４記載の発明による建具は、枠または障子の一方の見込面に、火災の熱で発泡する耐火材を設けてあると共に、耐火材の見込み方向に隣接する位置に、枠または障子の他方の見込面に向けて突出して耐火材の発泡する方向を規制するガイドとなる突壁を有するため、枠と障子との間の隙間が大きい場合でも、火災時にその隙間を発泡した耐火材で確実に塞ぐことができる。また、突壁を有することで、耐火材を密に発泡させることができ、発泡した耐火材による耐火層を維持できる。
【図面の簡単な説明】
【００１３】
【図１】本発明の一実施形態に係る建具の横断面図である。
【図２】同建具の縦断面図である。
【図３】同建具の室内側正面図である。
【図４】同建具の障子を開けた状態の縦断面図である。
【図５】火災時における竪枠と竪框間の隙間部の状態を示す横断面図である。
【発明を実施するための形態】
【００１４】
以下、本発明の実施の形態を図面に基づいて説明する。図１〜４は、本発明に係る建具の一実施形態を示している。この建具は、内倒しサッシであり、躯体開口部に取付けられる枠１と、枠１に内倒し式に開閉自在に取付けた障子２とを備えている。
枠１は、アルミニウム合金の押出形材よりなる上枠５、下枠６及び左右の竪枠７，７を枠組みして構成されている。
障子２は、アルミニウム合金の押出形材よりなる上框８、下框９及び左右の竪框１０，１０を框組みし、その内側に複層ガラス１１を取付けて構成されている。複層ガラス１１の室外側のガラス１１ａは、網入りの強化ガラスになっている。障子２は、図２に示すように、下框９の室内側下部に設けたヒンジ部１２が下枠６に取付けたヒンジ金具１３に回動自在に連結されている。また障子２の上框８の室内側面にはラッチ１４が取付けてあり、ラッチ１４が上枠５に取付けたラッチ受け１５と係合することで、閉鎖した障子２がロックされる。
【００１５】
図１，４に示すように、竪枠７の内周側見込み面７ａと竪框１０の外周側見込み面１０ａ間には、アーム１６が取付けてあり、該アーム１６により障子２の開く範囲を規制している。このアーム１６を取付けるために、竪枠７の内周側見込み面７ａと竪框１０の外周側見込み面１０ａ間には２７ｍｍの幅の隙間１７が設けられている。
竪枠７の内周側見込み面７ａの室外側端部には、図１に示すように、タイト材ホルダー１８が内周側に突出して設けられ、タイト材ホルダー１８に取付けたタイト材１９が、竪框１０の外周側見込み面１０ａに当接している。また、竪枠７の内周側見込み面７ａの室内外方向中間部やや室内側寄りの位置にもタイト材ホルダー２０が内周側に突出して設けられ、このタイト材ホルダー２０に取付けたタイト材２１が、竪框１０の室内側端部に外周側に張り出して設けたフィン２２の室外側面に当接している。室内外方向中間部のタイト材ホルダー２０の根元部には、後述する耐火材ホルダー２３が係止する溝２４が室外側に向けて形成してある。
【００１６】
竪枠７の内周側見込み面７ａには、図１，２，４に示すように、火災時に竪枠７と竪框１０間の隙間を塞ぐ耐火材３を固定設置するための耐火材ホルダー２３が、室内寄りのタイト材ホルダー２０の室外側に沿うようにして取付けてある。耐火材ホルダー２３は、アルミニウム合金の押出形材よりなる長尺材であり、図１に示すように、内周側が開口したリップ溝形の耐火材保持部２５と、耐火材保持部２５の室外側の壁より連続して内周側に向けて突出する突壁４とが一体に形成されている。突壁４は、竪枠７の内周側見込み面７ａと竪框１０の外周側見込み面１０ａ間の２７ｍｍの隙間１７の半分程度まで突出しており、アーム１６と干渉しないように設けてある。耐火材ホルダー２３は、図２，４に示すように、アーム１６と干渉する部分に切り欠き２６が設けてある。
耐火材保持部２５には、火災の熱に反応して発泡・膨張する耐火材３が保持してある。この耐火材は、プラスチック技術を活用した有機系耐火材であり、通常の状態では薄いシート状で、２００℃以上に加熱されると厚さ方向に５〜４０倍に膨張し、断熱層を形成する。火災時に消失することがなく、有害ガスが発生することもない。かかる耐火材３としては、例えば積水化学工業株式会社製の商品名「フィブロック」を用いることができる。耐火材３は、耐火材保持部２５に挿入した後、耐火材保持部２５の内周側のリップ部２５ａをかしめることで、耐火材保持部２５から抜け落ちたりしないように保持される。そうして耐火材３を装着した耐火材ホルダー２３は、図１に示すように、竪枠７の内周側見込み面７ａにネジ２７で固定されている。
【００１７】
上枠５は、図２に示すように、内周側見込み面５ａの室外側端部に垂下片２８を有し、その室内側に沿うようにして上枠５の内周側面５ａに、火災の熱に反応して発泡・膨張する耐火材２９が取付けてある。この耐火材２９は、リップ溝形の耐火材ホルダー３０に保持されており、耐火材ホルダー３０は上枠５にネジ３１で固定してある。また、上枠５の内周側見込み面５ａには、ステンレス製の補強板３５が耐火材ホルダー３０とネジ３１で共締めして取付けてある。
上框８の外周側見込み面８ａには、ステンレス製の補強板３２がネジ３３で取付けてあり、その室内側の端部に火災の熱に反応して発泡・膨張する耐火材３４が取付けてある。この耐火材３４は、上枠５に設けられたタイト材ホルダー３６に対向して配置されている。さらに、その上枠５のタイト材ホルダー３６の室内側面にも火災の熱に反応して発泡・膨張する耐火材３７が取付けてあり、この耐火材３７はラッチ１４とラッチ受け１５との係合部に対向して配置されている。上框８の中空部内には、ステンレス製の補強材３８が設けてある。
【００１８】
下枠６は、図２に示すように、Ｌ字形に立ち上がるタイト材ホルダー３９を有し、その室外側面に火災の熱に反応して発泡・膨張する耐火材４０を保持した耐火材ホルダー４１がネジ４２で取付けてある。この耐火材４０は、下框９の室外側に外周側に張り出して形成されたフィン４３と対向して配置されている。前記タイト材ホルダー３９の内周側面にも、火災の熱に反応して発泡・膨張する耐火材４４が設けてある。さらに、下枠６の中空部内にも、火災の熱に反応して発泡・膨張する耐火材４５が設けてある。
【００１９】
障子２の框８，９，１０は、図２に示すように、内周側が開口したパネル保持溝４６を有し、パネル保持溝４６内の室外側の壁に、火災の熱に反応して発泡・膨張する耐火材４７が取付けてある。下框９のパネル保持溝４６内には、セッティングブロック４８が配置されており、このセッティングブロック４８は火災の熱で溶けにくい金属製のものとなっている。
【００２０】
図５は、火災時における竪枠７と竪框１０の隙間部の状態を示している。同図に示すように、火災が発生すると竪枠７の内周側見込み面７ａに設けた耐火材３が内周側に向けて発泡・膨張し、竪枠７の内周側見込み面７ａと竪框１０の外周側見込み面１０ａ間の隙間１７が発泡した耐火材３により塞がれる。これにより、竪枠７と竪框１０の隙間１７から火炎や煙等が貫通するのを阻止できる。耐火材３の室外側に隣接して突壁４が設けてあることで、突壁４が耐火材３の発泡する方向を規制するガイドとなり、広い隙間１７であってもその隙間１７を発泡した耐火材３で確実に塞ぐことができる。また、突壁４を有することで、耐火材３を密に発泡させることができ、発泡した耐火材３による耐火層を維持できる。また、突壁４自体が炎や煙等を遮る効果もある。突壁４は、図４に示すように、アーム１６を竪枠７に取付けているアーム取付具５２と干渉する部分が切欠かれているが、アーム取付具５２は障子２側（内周側）に向けて突出するハット型断面になっており、このアーム取付金具５２が発泡した耐火材３の脱落を防ぐので、突壁４が切欠かれた範囲も竪枠７と竪框１０の間の隙間１７が発泡した耐火材３により確実に塞がれる。
耐火材３を両面テープや接着剤等で竪枠７の内周側見込み面７ａに直接取付けた場合には、長時間風雨にさらされるうちに剥がれ落ちたりするおそれがあるが、本実施形態では耐火材３を耐火材ホルダー２３に保持した上で竪枠７にネジ２７で固定したので、耐火材３が剥がれ落ちるおそれがない。
【００２１】
また火災時には、上枠５の内周側見込み面５ａに取付けた耐火材２９が内周側に向けて、上框８の外周側見込み面８ａに取付けた耐火材３４が外周側に向けてそれぞれ発泡・膨張して、上枠５の内周側見込み面５ａと上框８の外周側見込み面８ａ間の隙間が塞がれる。両耐火材２９，３４は、上枠５の垂下片２８と上框８の立上げ片４９の見込み方向に隣接して配置されているため、先に述べた突壁４と同様に耐火材２９，３４の発泡する方向を規制し、耐火材２９，３４が曲がったり脱落したりするのを防ぐことができる。また、上枠５のタイト材ホルダー３６の室内側面に取付けた耐火材３７が室内側に向けて発泡し、障子２の周囲と上枠５間の隙間を塞ぐ。室外側で火災が起きたときには、障子２は室外側に膨らむように変形し、それに伴って上框８の立上げ片４９が上枠５のタイト材５０から離れようとする。本建具は上記のように耐火材２９，３４，３７が設けてあることで、室外側から室内側への火の侵入がまず耐火材２９により防がれ、耐火材２９を突破され且つタイト材５０が上框８から離れたとしても、耐火材３４により火の侵入を防ぐことができる。耐火材３４は、タイト材５０を保護する働きもある。さらに、耐火材３４が突破され且つ上框８が室内側に変位したとしても、室内側に向けて発泡する耐火材３７により火の侵入が防がれる。以上の作用により、上枠５と上框８の間を火が貫通するのを確実に防ぐことができる。
さらに、下枠６のタイト材ホルダー３９の室外側面に取付けた耐火材４０が室外側に向けて発泡し、発泡した耐火材４０が下框９にパネル保持溝４６内の水を抜くために下框９の長手方向両端部に形成された水抜き孔を塞ぎ、水抜き孔から火炎や煙等が入るのを阻止する。下框９はヒンジ部１２で下枠６と連結されているが、ヒンジ部１２は長手方向の両端部が竪框１０と干渉しないように切欠かれており、また下枠のタイト材５１は長手方向の両端部が竪枠７と干渉しないように切欠かれているので、そのままでは下枠６の両端部における下框９との隙間から火が貫通するおそれがある。本建具では、下枠６のタイト材ホルダー３９の内周側面に取付けた耐火材４４が内周側に向けて発泡し、発泡した耐火材４４が下枠６と下框９間の隙間を塞ぐことで、下枠６の両端部における下框９との隙間から火が貫通するのを防ぐことができる。耐火材４４は、タイト材５１を保護する働きもある。耐火材４０，４４は、下枠６の長手方向の全長に設けてもよいが、下枠６の長手方向の両端部だけに設けてあってもよい。
さらに、下枠６の中空部内に設けた耐火材４５が発泡して下枠６の排水孔を塞ぎ、排水孔から火炎や煙等が入るのを阻止する。また、框８，９，１０のパネル保持溝４６内に設けた耐火材４７が発泡してパネル保持溝４６内の隙間を塞ぐことで、框８，９，１０と複層ガラス１１との間から火炎や煙等が貫通するのを阻止できる。
【００２２】
以上に述べたように本建具は、火災時に枠１と障子２の隙間、障子２の框８，９，１０と複層ガラス１１との隙間、排水孔等が発泡した耐火材３，２９，３４，３７，４０，４４，４５，４７により塞がれるため、火炎や煙等が室内外を貫通するのを阻止し、延焼を防止することができる。特に、耐火材３の見込み方向に隣接する位置に内周側に向けて突出する突壁４を設けたことで、耐火材３の発泡する方向を突壁４が規制するため、アーム１６が介在する竪枠７と竪框１０間の広い隙間１７であっても、発泡した耐火材３でその隙間１７をきっちり塞ぐことができる。
【００２３】
本発明は以上に述べた実施形態に限定されない。耐火材に隣接して設けられる突壁は、耐火材ホルダーと別体で形成することもできる。耐火材は、障子の外周側見込み面に設けることもでき、その場合には突壁は外周側に向けて突出して設ける。また耐火材は、枠の内周側見込み面又は障子の外周側見込み面に両面テープ等で直接取付けることもできる。突壁は、耐火材の室内側に隣接して設けることもできる。障子の開き方は任意であり、例えば開き窓、すべり出し窓等、あらゆる窓種に適用することができる。
【符号の説明】
【００２４】
１  枠
２  障子
３  耐火材
４  突壁
７ａ  竪枠の内周側見込み面（枠の内周側見込み面）
１０ａ  竪框の外周側見込み面（障子の外周側見込み面）